【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、かつ前記第２のデバイスが前記第１のメッセージを受信したかどうか識別する前に、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を備える、方法。
【請求項２】
前記第１のデバイスと前記第２のデバイスとの間の通信を促進すること、
をさらに備える、請求項１に記載の方法。
【請求項３】
通信を促進することは、
前記第１のデバイスから第３のメッセージを受信し、前記第２のデバイスに前記第３のメッセージを再送信することと、
前記第２のデバイスから第４のメッセージを受信し、前記第１のデバイスに前記第４のメッセージを再送信することと、
のうちの少なくとも１つを備える、請求項２に記載の方法。
【請求項４】
前記第１のデバイスと前記第２のデバイスとの間の通信を促進することは、前記中継デバイスによって開始される、請求項２に記載の方法。
【請求項５】
前記第２のデバイスに、前記中継デバイスに関連付けられる情報を送信することをさらに備え、前記情報は、前記中継デバイスの識別、または変調およびコーディングスキーム（ＭＣＳ）、またはそれらの組み合わせを備える、
請求項１に記載の方法。
【請求項６】
前記中継デバイスは、電力網に接続される、請求項１に記載の方法。
【請求項７】
Ｄ２Ｄ通信リンクは、前記第１のデバイスと前記第２のデバイスとの間に確立される、請求項１に記載の方法。
【請求項８】
前記第１のメッセージは、送信要求（ＲＴＳ）メッセージである、請求項１に記載の方法。
【請求項９】
前記応答は、送信可（ＣＴＳ）メッセージである、請求項８に記載の方法。
【請求項１０】
前記応答は、確認応答（ＡＣＫ）である、請求項１に記載の方法。
【請求項１１】
リソースの前記第１のセットは、周波数チャネル、またはタイムスロット、またはコーディングレート、または変調およびコーディングスキーム（ＭＣＳ）、またはそれらの組み合わせを備える、請求項１に記載の方法。
【請求項１２】
ワイヤレス通信のための装置であって、
先行する請求項のうちのいずれか一項のステップを実行するように構成される手段を備える、装置。
【請求項１３】
ワイヤレス通信のためのコードを記憶する非一時的なコンピュータ読み取り可能な媒体であって、前記コードは、
請求項１〜請求項１１のうちのいずれか一項に記載のステップを実行するように構成される、非一時的なコンピュータ読み取り可能な媒体。
【手続補正２】
【補正対象書類名】明細書
【補正対象項目名】００９４
【補正方法】変更
【補正の内容】
【００９４】
[0100]  本開示の説明は、当業者が本開示を製造または使用することを可能にするために提供される。本開示への様々な修正は、当業者にとって容易に明らかであり、本明細書に定義された一般的な原理は、本開示の範囲から逸脱することなく、他のバリエーションに適用され得る。よって、本開示は、本明細書に説明された例および設計に限定されるべきではなく、本明細書に開示された原理および新規の特徴と一致する最も広い範囲が付与されるべきである。
以下に本願の出願当初の特許請求の範囲に記載された発明を付記する。
[Ｃ１]  ワイヤレス通信の方法であって、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を備える、方法。
[Ｃ２]  前記第２のデバイスに前記第１のメッセージを送信するために使用される電力レベルに等しい電力レベルで、前記第２のデバイスに前記第２のメッセージを送信すること、
をさらに備える、Ｃ１に記載の方法。
[Ｃ３]  前記第１のデバイスと前記第２のデバイスとの間の通信を促進すること、
をさらに備える、Ｃ１に記載の方法。
[Ｃ４]  通信を促進することは、
前記第１のデバイスから第３のメッセージを受信し、前記第２のデバイスに前記第３のメッセージを再送信することと、
前記第２のデバイスから第４のメッセージを受信し、前記第１のデバイスに前記第４のメッセージを再送信することと、
のうちの少なくとも１つを備える、Ｃ３に記載の方法。
[Ｃ５]  前記第１のデバイスと前記第２のデバイスとの間の通信を促進することは、前記中継デバイスによって開始される、Ｃ３に記載の方法。
[Ｃ６]  前記中継デバイスにおいて、複数のＤ２Ｄデバイスペアに関連付けられる複数のＤ２Ｄメッセージを識別することと、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みることと、
をさらに備える、Ｃ１に記載の方法。
[Ｃ７]  前記第２のデバイスに、前記中継デバイスに関連付けられる情報を送信することをさらに備え、前記情報は、前記中継デバイスの識別、または変調およびコーディングスキーム（ＭＣＳ）、またはそれらの組み合わせを備える、
Ｃ１に記載の方法。
[Ｃ８]  前記中継デバイスは、電力網に接続される、Ｃ１に記載の方法。
[Ｃ９]  Ｄ２Ｄ通信リンクは、前記第１のデバイスと前記第２のデバイスとの間に確立される、Ｃ１に記載の方法。
[Ｃ１０]  前記第１のメッセージは、送信要求（ＲＴＳ）メッセージである、Ｃ１に記載の方法。
[Ｃ１１]  前記応答は、送信可（ＣＴＳ）メッセージである、Ｃ１０に記載の方法。
[Ｃ１２]  前記応答は、確認応答（ＡＣＫ）である、Ｃ１に記載の方法。
[Ｃ１３]  リソースの前記第１のセットは、周波数チャネル、またはタイムスロット、またはコーディングレート、または変調およびコーディングスキーム（ＭＣＳ）、またはそれらの組み合わせを備える、Ｃ１に記載の方法。
[Ｃ１４]  ワイヤレス通信のための装置であって、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別するための手段と、
前記第１のメッセージの前記送信を識別すると、リソースの前記第１のセット上で前記第２のデバイスに第２のメッセージを送信するための手段と、前記第２のメッセージは、前記第１のメッセージの少なくとも一部を備える、
前記第２のデバイスから前記第２のメッセージへの応答を受信するための手段と、
を備える、装置。
[Ｃ１５]  前記第２のデバイスに前記第１のメッセージを送信するために使用される電力レベルに等しい電力レベルで、前記第２のデバイスに前記第２のメッセージを送信するための手段、
をさらに備える、Ｃ１４に記載の装置。
[Ｃ１６]  前記第１のデバイスと前記第２のデバイスとの間の通信を促進するための手段、
をさらに備える、Ｃ１４に記載の装置。
[Ｃ１７]  通信を促進するための前記手段は、
前記第１のデバイスから第３のメッセージを受信し、前記第２のデバイスに前記第３のメッセージを再送信するための手段と、
前記第２のデバイスから第４のメッセージを受信し、前記第１のデバイスに前記第４のメッセージを再送信するための手段と、
のうちの少なくとも１つを備える、Ｃ１６に記載の装置。
[Ｃ１８]  前記第１のデバイスと前記第２のデバイスとの間の通信を促進することは、前記中継デバイスによって開始される、Ｃ１６に記載の装置。
[Ｃ１９]  前記中継デバイスにおいて、複数のＤ２Ｄデバイスペアに関連付けられる複数のＤ２Ｄメッセージを識別するための手段と、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みるための手段と、
をさらに備える、Ｃ１４に記載の装置。
[Ｃ２０]  前記第２のデバイスに、前記中継デバイスに関連付けられる情報を送信するための手段を備え、前記情報は、前記中継デバイスの識別、または変調およびコーディングスキーム（ＭＣＳ）、またはそれらの組み合わせを備える、
Ｃ１４に記載の装置。
[Ｃ２１]  前記中継デバイスは、電力網に接続される、Ｃ１４に記載の装置。
[Ｃ２２]  Ｄ２Ｄ通信リンクは、前記第１のデバイスと前記第２のデバイスとの間に確立される、Ｃ１４に記載の装置。
[Ｃ２３]  前記第１のメッセージは、送信要求（ＲＴＳ）メッセージである、Ｃ１４に記載の装置。
[Ｃ２４]  前記応答は、送信可（ＣＴＳ）メッセージである、Ｃ２３に記載の装置。
[Ｃ２５]  前記応答は、確認応答（ＡＣＫ）である、Ｃ１４に記載の装置。
[Ｃ２６]  リソースの前記第１のセットは、周波数チャネル、またはタイムスロット、またはコーディングレート、または変調およびコーディングスキーム（ＭＣＳ）、またはそれらの組み合わせを備える、Ｃ１４に記載の装置。
[Ｃ２７]  ワイヤレス通信のための装置であって、
プロセッサと、
前記プロセッサと電子通信状態にあるメモリと、
前記メモリに記憶される命令であって、前記プロセッサによって実行されるとき、前記装置に、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を行わせるように動作可能である命令と、
を備える、装置。
[Ｃ２８]  前記命令は、前記装置に、
前記第２のデバイスに前記第１のメッセージを送信するために使用される電力レベルに等しい電力レベルで、前記第２のデバイスに前記第２のメッセージを送信すること
を行わせるように動作可能である、Ｃ２７に記載の装置。
[Ｃ２９]  前記命令は、前記装置に、
前記第１のデバイスと前記第２のデバイスとの間の通信を促進すること
を行わせるように動作可能である、Ｃ２７に記載の装置。
[Ｃ３０]  通信を促進することは、
前記第１のデバイスから第３のメッセージを受信し、前記第２のデバイスに前記第３のメッセージを再送信することと、
前記第２のデバイスから第４のメッセージを受信し、前記第１のデバイスに前記第４のメッセージを再送信することと、
のうちの少なくとも１つを備える、Ｃ２９に記載の装置。
[Ｃ３１]  前記第１のデバイスと前記第２のデバイスとの間の通信を促進することは、前記中継デバイスによって開始される、Ｃ２９に記載の装置。
[Ｃ３２]  前記命令は、前記装置に、
前記中継デバイスにおいて、複数のＤ２Ｄデバイスペアに関連付けられる複数のＤ２Ｄメッセージを識別することと、
前記第１のメッセージ、または前記複数のＤ２Ｄメッセージ、またはそれらの組み合わせに少なくとも部分的に基づいて、前記第１のデバイスと前記第２のデバイスとの間の通信を促進することを試みることと、
を行わせるように動作可能である、Ｃ２７に記載の装置。
[Ｃ３３]  前記命令は、前記装置に、
前記第２のデバイスに、前記中継デバイスに関連付けられる情報を送信すること、前記情報は、前記中継デバイスの識別、または変調およびコーディングスキーム（ＭＣＳ）、またはそれらの組み合わせを備える、
を行わせるように動作可能である、Ｃ２７に記載の装置。
[Ｃ３４]  前記中継デバイスは、電力網に接続される、Ｃ２７に記載の装置。
[Ｃ３５]  Ｄ２Ｄ通信リンクは、前記第１のデバイスと前記第２のデバイスとの間に確立される、Ｃ２７に記載の装置。
[Ｃ３６]  前記第１のメッセージは、送信要求（ＲＴＳ）メッセージである、Ｃ２７に記載の装置。
[Ｃ３７]  前記応答は、送信可（ＣＴＳ）メッセージである、Ｃ３６に記載の装置。
[Ｃ３８]  前記応答は、確認応答（ＡＣＫ）である、Ｃ２７に記載の装置。
[Ｃ３９]  リソースの前記第１のセットは、周波数チャネル、またはタイムスロット、またはコーディングレート、または変調およびコーディングスキーム（ＭＣＳ）、またはそれらの組み合わせを備える、Ｃ２７に記載の装置。
[Ｃ４０]  ワイヤレス通信のためのコードを記憶する非一時的なコンピュータ読み取り可能な媒体であって、前記コードは、
中継デバイスにおいて、リソースの第１のセット上のデバイス・ツー・デバイス（Ｄ２Ｄ）通信を使用して第２のデバイスに向けられる、第１のデバイスから送信される第１のメッセージを識別することと、
前記第１のメッセージの前記送信を識別すると、リソースの前記第１のセット上で前記第２のデバイスに第２のメッセージを送信することと、前記第２のメッセージは、前記第１のメッセージの少なくとも一部を備える、
前記第２のデバイスから前記第２のメッセージへの応答を受信することと、
を行うように実行可能である命令を備える、非一時的なコンピュータ読み取り可能な媒体。